【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
「実在するまたは仮想のデータベース」の全体またはその一部の複製（以下「自複製」）を保持する装置（以下「自装置」）に、該自複製を更新する手順を実行させるプログラムであって、少なくとも、
該自複製のデータ（以下「自データ」）に対する編集内容（以下「自データ編集内容」）を作成する処理、
該自データ編集内容と、該自装置とは異なる装置（以下「他装置」）が保持する「該データベースの全体またはその一部の複製」のデータ（以下「他データ」）に対し該他装置が作成する編集内容（以下「他データ編集内容」）と、該他データの項目定義に対し該他装置が作成する編集内容（以下「他項目編集内容」）が集められ、かつ該自データ編集内容と該他データ編集内容と該他項目編集内容の順番を定める装置を、「サーバー」と呼ぶとき、該自データ編集内容を該サーバーへ送信する処理、
該サーバーに送信を要求し、該サーバーから該他データ編集内容と該他項目編集内容を受信する処理、
該サーバーから、該順番の情報を取得する処理、
該自データ編集内容と該他データ編集内容と該他項目編集内容を該順番で用いて、該自複製を更新する処理、
を実行させるプログラム。
【請求項２】
「実在するまたは仮想のデータベース」の全体またはその一部の複製（以下「自複製」）を保持する装置（以下「自装置」）に、該自複製を更新する手順を実行させるプログラムであって、少なくとも、
該自複製のデータに対する編集内容（以下「自データ編集内容」）を作成する処理、
順序数を提供する装置をサーバーと呼ぶとき、該サーバーから順序数（以下「自データ順序数」）を受信し、該自データ順序数を該自データ編集内容に設定する処理、
該自装置とは異なる装置（以下「他装置」）に該自データ編集内容を送信する処理、
該他装置が保持する「該データベースの全体またはその一部の複製」のデータ（以下「他データ」）に対して該他装置が作成し、かつ該サーバーから受信した順序数（以下「他データ順序数」）が設定された、編集内容（以下「他データ編集内容」）と、該他データの項目定義に対し該他装置が作成し、かつ該サーバーから受信した順序数（以下「他項目順序数」）が設定された、編集内容（以下「他項目編集内容」）を、受信する処理、
該自データ編集内容と該他データ編集内容と該他項目編集内容を、該自データ順序数と該他データ順序数と該他項目順序数の順番で用いて、該自複製を更新する処理、
を実行させるプログラム。
【請求項３】
「実在するまたは仮想のデータベース」の全体またはその一部の複製（以下「自複製」）を保持する装置（以下「自装置」）が、該自複製を更新する方法であって、少なくとも、
該自複製のデータ（以下「自データ」）に対する編集内容（以下「自データ編集内容」）を作成する処理、
該自データ編集内容と、該自装置とは異なる装置（以下「他装置」）が保持する「該データベースの全体またはその一部の複製」のデータ（以下「他データ」）に対し該他装置が作成する編集内容（以下「他データ編集内容」）と、該他データの項目定義に対し該他装置が作成する編集内容（以下「他項目編集内容」）が集められ、かつ該自データ編集内容と該他データ編集内容と該他項目編集内容の順番を定める装置を、「サーバー」と呼ぶとき、該自データ編集内容を該サーバーへ送信する処理、
該サーバーに送信を要求し、該サーバーから該他データ編集内容と該他項目編集内容を受信する処理、
該サーバーから、該順番の情報を取得する処理、
該自データ編集内容と該他データ編集内容と該他項目編集内容を該順番で用いて、該自複製を更新する処理、
を実行する方法。
【請求項４】
「実在するまたは仮想のデータベース」の全体またはその一部の複製（以下「自複製」）を保持する装置（以下「自装置」）が、該自複製を更新する方法であって、少なくとも、
該自複製のデータに対する編集内容（以下「自データ編集内容」）を作成する処理、
順序数を提供する装置をサーバーと呼ぶとき、該サーバーから順序数（以下「自データ順序数」）を受信し、該自データ順序数を該自データ編集内容に設定する処理、
該自装置とは異なる装置（以下「他装置」）に該自データ編集内容を送信する処理、
該他装置が保持する「該データベースの全体またはその一部の複製」のデータ（以下「他データ」）に対して該他装置が作成し、かつ該サーバーから受信した順序数（以下「他データ順序数」）が設定された、編集内容（以下「他データ編集内容」）と、該他データの項目定義に対し該他装置が作成し、かつ該サーバーから受信した順序数（以下「他項目順序数」）が設定された、編集内容（以下「他項目編集内容」）を、受信する処理、
該自データ編集内容と該他データ編集内容と該他項目編集内容を、該自データ順序数と該他データ順序数と該他項目順序数の順番で用いて、該自複製を更新する処理、
を実行する方法。
【請求項５】
少なくとも、
「実在するまたは仮想のデータベース」の全体またはその一部の複製（以下「複製Ｘ」）を保持し、該複製Ｘのデータに対する編集内容（以下「Ｘデータ編集内容」）を作成する装置（以下「装置Ｘ」）、と
該データベースの全体またはその一部の複製（以下「複製Ｙ」）を保持し、該複製Ｙのデータ（以下「Ｙデータ」）に対する編集内容（以下「Ｙデータ編集内容」）と、該Ｙデータの項目定義に対する編集内容（以下「Ｙ項目編集内容」）を作成する装置（以下「装置Ｙ」）、
で構成されるシステムであって、
該Ｘデータ編集内容と該Ｙデータ編集内容と該Ｙ項目編集内容の順番を定める装置を「サーバー」と呼ぶとき、該装置Ｘは該Ｘデータ編集内容を該サーバーに送り、該装置Ｙは該Ｙデータ編集内容と該Ｙ項目編集内容を該サーバーに送り、さらに
該装置Ｘは該サーバーに送信を要求し、該サーバーから該Ｙデータ編集内容と該Ｙ項目編集内容と該順番の情報を受信し、該Ｘデータ編集内容と該Ｙデータ編集内容と該Ｙ項目編集内容を該順番で用いて、該複製Ｘを更新し、
該装置Ｙは該サーバーに送信を要求し、該サーバーから該Ｘデータ編集内容と該順番の情報を受信し、該Ｘデータ編集内容と該Ｙデータ編集内容と該Ｙ項目編集内容を該順番で用いて、該複製Ｙを更新する、
ことを特徴とするシステム。
【請求項６】
少なくとも、
「実在するまたは仮想のデータベース」の全体またはその一部の複製（以下「複製Ｘ」）を保持し、該複製Ｘのデータに対する編集内容（以下「Ｘデータ編集内容」）を作成し、順序数を提供する装置（以下「サーバー」）から順序数（以下「Ｘデータ順序数」）を受信し、該Ｘデータ順序数を該Ｘデータ編集内容に設定する装置（以下「装置Ｘ」）と、
該データベースの全体またはその一部の複製（以下「複製Ｙ」）を保持し、該複製Ｙのデータ（以下「Ｙデータ」）に対する編集内容（以下「Ｙデータ編集内容」）を作成し、該サーバーから順序数（以下「Ｙデータ順序数」）を受信し、該Ｙデータ順序数を該編集内容Ｙに設定し、さらに、該Ｙデータの項目定義に対する編集内容（以下「Ｙ項目編集内容」）を作成し、該サーバーから順序数（以下「Ｙ項目順序数」）を受信し、該Ｙ項目順序数を該Ｙ項目編集内容に設定する装置（以下「装置Ｙ」）、
で構成されるシステムであって、
該装置Ｘは該Ｙデータ編集内容と該Ｙ項目編集内容を受信し、該Ｘデータ編集内容と該Ｙデータ編集内容と該Ｙ項目編集内容を該Ｘデータ順序数と該Ｙデータ順序数と該Ｙ項目順序数の順番で用いて、該複製Ｘを更新し、
該装置Ｙは該編集内容Ｘを受信し、該Ｘデータ編集内容と該Ｙデータ編集内容と該Ｙ項目編集内容を該Ｘデータ順序数と該Ｙデータ順序数と該Ｙ項目順序数の順番で用いて、該複製Ｙを更新する、
ことを特徴とするシステム。
【請求項７】
少なくとも、
「実在するまたは仮想のデータベース」の全体またはその一部の複製（以下「複製Ｘ」）を保持し、該複製Ｘのデータに対する編集内容（以下「Ｘデータ編集内容」）を作成する装置（以下「装置Ｘ」）、と
該データベースの全体またはその一部の複製（以下「複製Ｙ」）を保持し、該複製Ｙのデータ（以下「Ｙデータ」）に対する編集内容（以下「Ｙデータ編集内容」）を作成し、かつ、該Ｙデータの項目定義に対する編集内容（以下「Ｙ項目編集内容」）を作成する装置（以下「装置Ｙ」）、と
該Ｘデータ編集内容と該Ｙデータ編集内容と該Ｙ項目編集内容の順番を定める装置（以下「サーバー」）、で構成されるシステムであって、
該装置Ｘは該Ｘデータ編集内容を該サーバーに送り、該装置Ｙは該Ｙデータ編集内容と該Ｙ項目編集内容を該サーバーに送り、
さらに
該装置Ｘは該サーバーに送信を要求し、該サーバーから該Ｙデータ編集内容と該Ｙ項目編集内容と該順番の情報を受信し、該Ｘデータ編集内容と該Ｙデータ編集内容と該Ｙ項目編集内容を該順番で用いて、該複製Ｘを更新し、
該装置Ｙは該サーバーに送信を要求し、該サーバーから該編集内容Ｘと該順番の情報を受信し、該Ｘデータ編集内容と該Ｙデータ編集内容と該Ｙ項目編集内容を該順番で用いて、該複製Ｙを更新する、
ことを特徴とするシステム。
【請求項８】
少なくとも、
順序数を提供する装置（以下「サーバー」）、と
「実在するまたは仮想のデータベース」の全体またはその一部の複製（以下「複製Ｘ」）を保持し、該複製Ｘのデータに対する編集内容（以下「Ｘデータ編集内容」）を作成し、該サーバーから順序数（以下「Ｘデータ順序数」）を受信し、該Ｘデータ順序数を該Ｘデータ編集内容に設定する装置（以下「装置Ｘ」）と、
該データベースの全体またはその一部の複製（以下「複製Ｙ」）を保持し、該複製Ｙのデータ（以下「Ｙデータ」）に対する編集内容（以下「Ｙデータ編集内容」）を作成し、該サーバーから順序数（以下「Ｙデータ順序数」）を受信し、該Ｙデータ順序数を該Ｙデータ編集内容」に設定し、さらに、該Ｙデータの項目定義に対する編集内容（以下「Ｙ項目編集内容」）を作成し、該サーバーから順序数（以下「Ｙ項目順序数」）を受信し、該Ｙ項目順序数を該Ｙ項目編集内容に設定する装置（以下「装置Ｙ」）、
で構成されるシステムであって、
該装置Ｘは該装置Ｙから該Ｙデータ編集内容と該Ｙ項目編集内容を受信し、該Ｘデータ編集内容と該Ｙデータ編集内容と該Ｙ項目編集内容を該Ｘデータ順序数と該Ｙデータ順序数と該Ｙ項目順序数の順番で用いて、該複製Ｘを更新し、
該装置Ｙは該装置Ｘから該編集内容Ｘを受信し、該Ｘデータ編集内容と該Ｙデータ編集内容と該Ｙ項目編集内容を該Ｘデータ順序数と該Ｙデータ順序数と該Ｙ項目順序数の順番で用いて、該複製Ｙを更新する、
ことを特徴とするシステム。